(57)【特許請求の範囲】
【請求項１】
パンタグラフ式リンク機構に複数枚のパネルを取付け、戸先側には引手框と戸先框を備えた折畳み扉を上枠、下枠、及び両縦枠で枠組みした枠体に装着した折畳み扉装置において、上記リンク機構の伸縮に伴って折畳み扉を開閉可能とし、又リンクの連結部において互いに噛み合う切欠き部を形成し、同じく隣り合うパネル側端にも切欠き部を設け、全閉状態では折畳み扉が伸長して表面が平坦面となり、又全閉時に各パネルを回転して隣り合うパネル間に空間を形成するようにルーバー機構を備え、上記ルーバー機構として、引手框の上下端にルーバーガイドを取付けて戸先框側へ延ばし、折畳み扉の上側リンク機構のリンク先端に起立したガイド棒を上ルーバーガイドのガイド溝に遊嵌し、下側リンク機構のリンク先端にはフランス落しが嵌入する落し受けを取付けてルーバーガイドのガイド溝に遊嵌し、そして、上記ガイド棒及び落し受けをガイド溝に沿って移動させることでリンク機構を伸縮させて各パネルを回転させるようにし、上記ガイド棒及び落し受けをルーバーガイドの先端側へ移動することで引手框との間に形成される空間を該引手框と一体化した戸先框によって塞ぐようにしたことを特徴とするルーバー機構付き折畳み扉装置。
【請求項２】
パンタグラフ式リンク機構に複数枚のパネルを取付け、戸先側には引手框と戸先框を備えた折畳み扉を上枠、下枠、及び両縦枠で枠組みした枠体に装着した折畳み扉装置において、上記リンク機構の伸縮に伴って折畳み扉を開閉可能とし、又リンクの連結部において互いに噛み合う切欠き部を形成し、同じく隣り合うパネル側端にも切欠き部を設け、全閉状態では折畳み扉が伸長して表面が平坦面となり、又全閉時に各パネルを回転して隣り合うパネル間に空間を形成するようにルーバー機構を備え、上記ルーバー機構として、折畳み扉の戸先側上下端に揺動可能に互いに連結した２本のアームを設け、一方のアーム先端を引手框に連結し、他方のアーム先端をリンク機構のリンク先端に連結し、引手框に連結した下側アームの先端を延ばしてフランス落しと係合可能とし、そして、上記アームの旋回によってリンク機構を伸縮させて各パネルを回転させるようにし、２本のアームを伸長することで引手框との間に形成される空間を該引手框と一体化した戸先框によって塞ぐようにしたことを特徴とするルーバー機能付き折畳み扉装置。
【請求項３】
上記戸先框の上下端部に戸先框ガイドを取付け、該戸先框ガイドを上枠及び下枠に形成したガイド片に係合させた請求項１、又は請求項２記載のルーバー機能付き折畳み扉装置。
【請求項４】
折畳み扉が装着される枠体は、壁面に固定した金具に上枠及び下枠を係合して取付けた請求項１、請求項２、又は請求項３記載のルーバー機能付き折畳み扉装置。
【発明の詳細な説明】
【技術分野】
【０００１】
本発明は複数枚のパネルを連結して構成され、ルーバー機能を備えた折畳み扉に関するものである。そして、その用途としては、例えば住宅の窓外部に設置される雨戸、建物の内外に設置される間仕切りとし、さらには店舗入口に設置されるシャッターとして利用することが出来る。
【背景技術】
【０００２】
一般的な折畳み扉とは複数枚のパネルを有し、各パネルは継手を介して連結された構造とし、各パネルを折り畳むことで間口が開口し、逆に各パネルを伸展することで間口を閉じることが出来る。ところで、各パネルは継手を介して連結され、主継手の上端には吊車が取付けられて上レールに吊設され、下端にはスライダーが取着されて下レールに遊嵌している。そこで、折畳み扉が折畳まれる場合には、副継手が上下レールから外へ蹴り出される。
【０００３】
このように、主継手と副継手を介して連結した折畳み扉では、開閉操作を行う場合に各パネルの動作は一定せず、そして隣り合う各パネル間に空間を作って通風や採光を図ることは出来ない。すなわち、パネルの連結構造からしてルーバー機能を備えることは不可能である。そこで、各パネルをリンクを介して連結した折畳み扉が知られていて、該折畳み扉は間口を閉じた状態で各パネルを回動してパネル間に空間を形成することが出来る。
【０００４】
実公昭４６−３３３２０号に係る「ブラインド」は、左右両縁を互いに異方向に折り曲げて接合縁を形成し、その上下両端には断面がＬ字状の連結片を固定した遮蔽板を所要数並立させて、１個の連結片の中央とこれらの両側に並列する各連結片の両端を連杆で連結するごとくして所要数の遮蔽板を伸縮自在に順次連結した遮蔽体を形成し、この遮蔽体と対向する側の遮蔽板には外縁は接合縁を形成することなく密閉板を内側に向かって折畳み自在に蝶着し、上部連結片における所要数のものの一側上には軸承体を緩着して該軸承体に案内輪を軸着し、下部連結片における所要数のものの一側部には支承体を回動自在に垂設して、該支承体の承口部には転球を転動自在に収容している。
【０００５】
特開２０００−２０６０号に係る「ブラインド式雨戸」は、それ自体で雨や雪及び塵埃除けの庇体を有する構造としている。
そこで、 ブラインド式雨戸を嵌め込む雨戸用枠体を形成し、その雨戸用枠体の上辺部に一体で庇体を形成する。庇体には下向きのスリットを形成したガイドレール部を一体形成し、スリットにスラットの上端部のガイドピンを挿入し、ガイドピンにローラを連結する。雨戸用枠体の下辺部にはスリットを形成したガイドレール部を一体形成し、スリットにスラットの下端部のガイドピンを挿入してピンで抜け止めしている。
【０００６】
特開２００５−１０５５１５号に係る「ブラインド式雨戸の取付構造」は、ブラインド式雨戸の上枠の取付作業性を向上させるものである。
そこで、建物に形成された窓用の開口部の外壁に固定された雨戸用案内枠が、上辺部を構成する上枠と、側辺部を構成する左右の縦枠と、下辺部を構成する下枠とを有している。この上枠は、ブラインド式雨戸を吊支する枠本体と、この枠本体を外壁に固定する固定部とを備えている。この両者が別体により構成されているとともに、枠本体には、庇体が一体形成された構造としている。
【０００７】
これらブラインド機構は開閉操作時が不安定であり、風圧に対しての強度が低く、ルーバー時の通風・採光面積（空間）が小さくて十分でない。又、全閉鎖時には各パネルがフラットに納まらず、ガタ付きが発生する。さらに、施工性(サイドからのパネルの建て込み)が悪く、躯体付けに際しての枠廻り防水処理が十分でないなどの問題が残されている。
【特許文献１】実公昭４６−３３３２０号に係る「ブラインド」
【特許文献２】特開２０００−２０６０号に係る「ブラインド式雨戸」
【特許文献３】特開２００５−１０５５１５号に係る「ブラインド式雨戸の取付構造」
【発明の開示】
【発明が解決しようとする課題】
【０００８】
このように、従来のブラインド機構には上記の問題がある。本発明が解決しようとする課題はこれら問題点であり、開閉操作が安定して各パネルのガタ付きはなく、施工性に優れると共に防水処理の完全なルーバー機能付き折畳み扉装置を提供する。
【課題を解決するための手段】
【０００９】
本発明に係る折畳み扉装置は、パンタグラフ式リンク機構を上下端に備えた折畳み扉であり、すなわち複数枚のパネル上下端にはリンク機構を構成するパンタグラフ式リンクが取付けられている。従って、リンク機構の伸縮動に伴って折畳み扉は開閉することが出来、その為に、各パネルの片側端にはその上方に吊車が取付けられ、下方にはスライダーを備えている。
【００１０】
吊車は上レールに吊設されると共にスライダーは下レールに遊嵌しており、リンク機構は上下レールに沿って伸縮し、該リンク機構の各リンクに取付けられているパネルはその向きを変えて移動し、折畳み扉は開閉する。ところで、パンタグラフ式リンク機構を備えた折畳み扉としての上記構造は従来と同じであるが、本発明では次の特徴を備えている。
（１）ルーバー機構。
折畳み扉の先端には戸先框を備えた引手框を有しているが、戸先框の上下にはルーバーガイドが取付けられ、該ルーバーガイドに折畳み扉のリンク先端がスライド可能にガイドされている。従って、引手框及び戸先框を定位置に固定した状態で、リンク先端をルーバーガイドに沿って移動するならば、折畳み扉をルーバー状態とすることが出来る。すなわち、リンク機構が縮むことで各パネルが回転してルーバー状態と成る。ただし、本発明はこのルーバーガイドを用いたルーバー機構に限定するものではなく、互いに連結して旋回する２本のアームを使用することもある。
（２）パネルに設けた手掛け
戸先側パネルには手掛けを設けていて、該手掛けに手を掛けて操作すれば折畳み扉のパネルは回転してルーバー状態と成る。
（３）引手框に取付けたカギ及びフランス落し
引手框にはカギが取付けられ、又フランス落しを設けている。従ってカギを掛けるならば、引手框を枠体の縦枠にロックすることが出来、フランス落しを降下すならばリンク先端に係合してルーバーガイドをスライドするスライダーがロックされる。従って、フランス落しが降下している場合にはルーバー状態とはならない。しかし、カギが外されるとフランス落しの昇降位置に関係なく折畳み扉は折畳まれる。
（４）折畳み全閉鎖時の各パネルのフラットな納まり。
リンク機構を構成する各リンクの先端は切欠かれ、リンク機構が伸展した状態では、隣り合うリンクの切欠き部が互いに噛み合って１本のリンク幅となる。パネル側端もリンクの切欠き部に対応して切欠かれ、その為に、リンクが取付けられている各パネルは一平面となり、全閉した状態の折畳み扉はフラットに成る。
（５）枠体を構成する上枠の分割構造。
折畳み扉が装着される上枠は上枠本体と補助上枠の２ピース構造としている。上枠本体は建物壁面に固定され、この上枠本体に補助上枠が組み付けられる。そして、建物壁面には金具が固定され、この金具に上枠及び下枠が係合して取付けられる。
（６）戸先框の上下端部には戸先框ガイドが取着され、この戸先框ガイドは上枠及び下枠に設けているガイド片と係合する。
【発明の効果】
【００１１】
本発明に係る折畳み扉装置は複数枚のパネルがパンタグラフ式リンク機構に取付けられている為に、各パネルは重なり合って折畳まれる。そして、ルーバー機構を備えている為に折畳み扉を閉じた状態で各パネルを回転し、ルーバー状態とすることが出来る。引手框側にはカギとフランス落しが設けられていて、カギがロックされて折畳み扉を閉じていても、フランス落しを上げればルーバー機構を作動してパネルが回転し、ルーバー状態として通風及び採光することが出来る。
【００１２】
そして、折畳み扉には引手框と一体化した戸先框が設けられており、折畳み扉が伸長してパネルが回転したルーバー状態の場合に、引手框と先端パネル間に形成される空間は該戸先框によって塞ぐことが出来る。又、リンク機構を構成するリンクの先端は切欠かれている為に、又各パネル側端も切欠かれている為に、折畳み扉が伸長して閉じた状態では、連結されたリンクは切欠き部にて互いに噛み合い、各パネルは一平面に納まる。すなわち、閉じた状態で折畳み扉面に凹凸はなく平坦面と成る。
【実施例】
【００１３】
図１は本発明に係るルーバー機構付き折畳み扉装置の外観を示し、（ａ）は折畳み扉が伸長した全開状態、（ｂ）は折畳み扉が折畳まれた全開状態、（ｃ）は折畳み扉のルーバー状態を表している。折畳み扉１は枠体２に装着されていて、同図のように開閉することが出来る。
【００１４】
図２は折畳み扉１が上記枠体２に装着された縦断面を示しているが、該枠体２の上枠３に設けた上レール４及び下枠５に設けた下レール６に取付けられている。すなわち、折畳み扉１を構成する各パネル７，７・・の片側の上下には吊車８，８・・及びスライダー９，９・・が取着されていて、該吊車８，８・・は上レール４に吊設され、スライダー９，９・・は下レール６に遊嵌される。
【００１５】
枠体２に折畳み扉１を装着する場合、該折畳み扉１は折畳まれた状態で装着されるが、図３（ａ）に示すように下レール６にスライダー９，９・・を嵌め、その後で吊車８，８・・を上レール４ａに載せる。ここで、上枠２は２ピースの分割構造と成っていて、上枠本体１０のみが建物壁面１１に取付けられている。しかも、この上枠本体１０は壁面１１に固定されている概略Ｌ形金具１２に係止し、上端部にてネジ止めされている。
【００１６】
そして、このネジ止めした部分を被覆する為のキャップ１３を取付けている。従って、上枠本体１０には片側上レール４ａが形成されていて、吊車８，８・・の片側輪が載ることが出来る。その後で、図３（ｂ）に示すように、補助上枠１４を取付けて前記図２のように成り、反対側の車輪は補助上枠１４の片側上レール４ｂに載ることが出来る。
【００１７】
図４は本発明の折畳み扉の横断面を示したもので、（ａ）は折畳み扉が伸長して閉じた状態を、（ｂ）は折畳み扉が閉じて各パネルが回転したルーバー状態を、（ｃ）は折畳み扉が折畳まれて全開状態を夫々表している。折畳み扉は複数枚のパネル７，７・・を有し、各パネル７，７・・はパンタグラフ式リンク機構１５に取付けられている。
【００１８】
図５はリンク機構が折畳み扉の上端に取付けられている場合の詳細図を示しているが、ひし形を成して連結しているリンク１６ａ，１６ｂ，１６ｃ・・には、パネル７ａ，７ｂ，７ｃ・・が取付けられていることで、リンク機構１５が伸縮するならば、各リンク１６ａ，１７ａ，１６ｂ，１７ｂ，１６ｃ，１７ｃ・・の動きに伴ってパネル７ａ，７ｂ，７ｃ・・は回転する。従って、各リンク１６ａ，１７ａ，１６ｂ，１７ｂ，１６ｃ，１７ｃ・・が一直線状になって伸長すれば、リンク１６ａ，１６ｂ，１６ｃ・・に取付けられている各パネル７ａ，７ｂ，７ｃ・・も一直線状に配列されて全閉状態と成る。
【００１９】
パンタグラフ式リンク機構１５は従来から周知の機構である為に詳細な説明は省略するが、リンク１７ａとリンク１６ｂの連結部、リンク１７ｂとリンク１６ｃの連結部、リンク１７ｃとリンク１６ｄの連結部・・・と成るパネル７ａ，７ｂ，７ｃ・・の右側端の上方には吊車８，８・・が取付けられ、同じく下方にはスライダー９，９・・が取付けられている。
【００２０】
そこで、図４（ａ）の全閉状態から図４（ｂ）のようにリンク機構１５が縮んでひし形を形成するジグザグ状となれば、ルーバー状態になって各パネル７ａ，７ｂ，７ｃ・・間には隙間（空間）が形成され、通風・採光が得られる。そして、図４（ｃ）のようにリンク機構１５がさらに縮むならば、折畳み扉は折畳まれ、該リンク機構１５の各リンク１６ａ，１６ｂ，１６ｃ・・は上下レール４，６に対して垂直を成して配列される。従って、リンク１６ａ，１６ｂ，１６ｃ・・に取着している各パネル７ａ，７ｂ，７ｃ・・も上下レール４，６に対して垂直を成して配列する。ここで、同図（ｂ）のようなルーバー状態では、先端パネル７も回転して空間３３を形成するが、この空間３３は戸先框１８によって被覆される。
【００２１】
図６は戸先框１８の上方に取付けられているルーバーガイド２０ａを示している。折畳み扉の先端には上レール４に載る車輪２４を軸支した引手框１９が連結・配置され、この引手框１９の上端には支持部２１が取着され、この支持部上面に上記ルーバーガイド２０ａをネジ止めしている。ルーバーガイド２０ａは戸先框１８の先端付近まで延び、細長いガイド溝２２ａを形成している。このガイド溝２２ａにリンク先端に取着されて起立するガイド棒２３が遊嵌している。
【００２２】
このガイド棒２３はルーバーガイド２０ａに形成したガイド溝２２ａの範囲で移動することが出来、ガイド棒２３の位置でルーバー状態と成る各パネル７ａ，７ｂ，７ｃ・・の回転角度が定まる。図６（ａ）の状態はパネル７ａ，７ｂ，７ｃ・・・が閉じている場合で、（ｂ）はパネル７ａ，７ｂ，７ｃ・・が回転したルーバー状態を表している。すなわち、ガイド棒２３がルーバーガイド２０ａの基部側（引手框側）に位置している場合は閉じ、ガイド棒２３がルーバーガイド２０ａの先端側に位置している場合は各パネル７ａ，７ｂ，７ｃ・・が回転してルーバー状態と成る。すなわち、ガイド棒２３がルーバーガイド２０ａの先端側に移動するに従って、パネル７ａ，７ｂ，７ｃ・・の回転角度が大きくなり、各パネル間の隙間(空間)が拡大する。
【００２３】
図７は折畳み扉１の下端側に設けたルーバーガイド２０ｂを示している。基本的な構成は上端側に取付けている上記ルーバーガイド２０ａの場合と同じであり、長手方向に形成しているガイド溝２２ｂには落し受け２５が移動可能な状態で嵌っている。そして、ルーバーガイド２０ｂの両端には下レール６に遊嵌するガイドローラ２６，２６が取付けられている。
【００２４】
ところで、該落し受け２５は上記ガイド棒２３と同じ位置に配置され、引手框１９に取付けたフランス落しが降下して該落し受け２５に嵌入する。フランス落しが落し受け２５に嵌入した状態では、該落し受け２５は移動することが出来ず、従って、各パネル７ａ，７ｂ，７ｃ・・が回転してルーバー状態とは成らない。同図の（ａ）はフランス落しが降下して落し受け２５がロックされている場合で、各パネル７ａ，７ｂ，７ｃ・・は閉じ、（ｂ）はフランス落しが上昇して落し受け２５から外れ、その結果、落し受け２５はルーバーガイド２０ｂに沿って移動し、パネル７ａ，７ｂ，７ｃ・・が回転してルーバー状態と成っている。
【００２５】
図８はフランス落し２７とルーバーガイド２０ｂに取付けられている落し受け２５を表している具体例である。（ａ）はフランス落し２７が降下して落し受け２５に嵌入している場合であり、その結果、該落し受け２５は移動することは出来ない。（ｂ）はフランス落し２７が上昇して落し受け２５から外れた場合であり、その結果、落し受けは移動することが出来る。（ｃ）はフランス落し２７が上昇し，落し受け２５がルーバーガイド２０ｂの先端側へ移動した場合である。
【００２６】
落し受け２５が図８（ｃ）のように移動すれば、該落し受け２５に連結しているリンク機構１５は圧縮され、各リンク１６ａ，１６ｂ，１６ｃ・・に取付けされているパネル７ａ，７ｂ，７ｃ・・は回転してルーバー状態と成る。図９は引手框１９に取付けられているカギ２８及びフランス落し２７の外観である。同図に示すように、引手框１８の上下端にはルーバーガイド２０ａ，２０ｂが取付けられて戸先框側へ延びている。
【００２７】
そして、戸先框１８の上下端には戸先框ガイド２９ａ，２９ｂが取付けられている。この戸先框ガイド２９ａ，２９ｂは概略コ形断面を成し、折畳み扉が枠体２に装着されたならば、上枠３に形成したガイド片３０ａ及び下枠５に形成したガイド片３０ｂが嵌ってガイドされる。引手框１９には、その上端には上レールに載る車輪２４，２４が取付けられ、その下端には下レール６に遊嵌するガイドローラ２６を設けているが、戸先框１８は上記戸先框ガイド２９ａ，２９ｂを取付けることで上枠３と下枠５に拘束している。
【００２８】
ところで、カギ２８を掛けるならば引手框１９は枠体１の縦枠にロックされて折畳むことは出来ない。従って、折畳み扉を折畳む場合にはカギ２８を解除して行われる。そして、フランス落し２７を降下させるならばルーバー状態とすることは出来ないが、カギ２８は掛けた状態でもフランス落し２７を上昇させることでルーバー状態と成る。
【００２９】
図１０はルーバー機構の動作による折畳み扉のリンク機構１５の各種状態を表している。（ａ）は折畳み扉が折畳まれている状態である。このように引手框１９を吊元側へ移動することで折畳み扉は折畳まれるが、引手框１９には戸先框１８が一体化して設けられていて、引手框１９及び戸先框１８はその向きを変えることなく上下レール４，６に沿って移動する。
【００３０】
図１０（ｂ）はリンク機構１５が一直線状に延びている場合で、引手框１９はカギ２８が掛けられて縦枠にロックされ、又フランス落し２７が降下して落し受け２５に嵌り、折畳み扉の各パネル７ａ，７ｂ，７ｃ・・は回転しないようにロックされている。（ｃ）はフランス落し２７を上昇してガイド棒２３及び落し受け２５をルーバーガイド２０に沿って移動して、パネル７ａ，７ｂ，７ｃ・・が僅かに回転し、各パネル間に僅かな隙間を形成した場合である。
【００３１】
図１０（ｄ）はガイド棒２３及び落し受け２５をルーバーガイド２０に沿ってさらに移動して、パネル７ａ，７ｂ，７ｃ・・が回転し、各パネル間に空間を形成した場合である。（ｅ）はガイド棒２３及び落し受け２５をルーバーガイド２０の先端まで移動して、パネル７ａ，７ｂ，７ｃ・・が回転し、各パネル間に大きな空間を形成した場合である。このように、各パネル７ａ，７ｂ，７ｃ・・の回転角度はガイド棒２３及び落し受け２５の移動距離に応じて変化し、パネル間の空間の大きさが調整できる。ここで、ルーバー状態となって先端パネル７も回転し、引手框１９との間には空間３３を形成するが、この空間３３は戸先框１８によって塞がれる。
【００３２】
図１１は折畳み扉のルーバー機構を示す他の実施例である。前記実施例ではルーバーガイド２０ａ，２０ｂを折畳み扉の上下端に取付け、このルーバーガイド２０ａ，２０ｂに沿ってガイド棒２３及び落し受け２５を移動させた機構であるが、同図のルーバー機構はリンク機構にて構成している。図１１（ａ）は各パネル７ａ，７ｂ，７ｃ・・が閉じている状態を、（ｂ）はルーバー状態となって各パネル７ａ，７ｂ，７ｃ・・が回転している場合である。
【００３３】
概略「へ」形をした２本のアーム３１ａ，３２ａが互いに揺動可能に連結し、一方のアーム３１ａの先端は引手框１９に連結し、他方のアーム３２ａの先端はリンク機構１５のリンク先端と連結している。そこで、（ａ）のように各パネル７ａ，７ｂ，７ｃ・・が閉じている場合には２本のアーム３１ａ，３２ａは互いに重なり合い、（ｂ）に示すようにアーム３１ａ，３２ａが旋回して延びるならば、各パネル７ａ，７ｂ，７ｃ・・は回転してルーバー状態と成る。
【００３４】
図１２は折畳み扉の下端側を示しているが、上端側に同じようにルーバー機構を備えている。すなわち、概略「へ」形をした２本のアーム３１ｂ，３２ｂが互いに揺動可能に連結し、一方のアーム３１ｂの先端は引手框下端に連結し、他方のアーム３２ｂの先端はリンク機構１５のリンク先端と連結している。そこで、（ａ）のように各パネル７ａ，７ｂ，７ｃ・・が閉じている場合には２本のアーム３１ｂ，３２ｂは互いに重なり合い、（ｂ）に示すようにアーム３１ｂ，３２ｂが旋回して延びるならば、各パネル７ａ，７ｂ，７ｃ・・は回転してルーバー状態と成る。
【００３５】
図１３はルーバー機構の動作に伴う折畳み扉のリンク機構１５の各種状態を表している。（ａ）は折畳み扉が折畳まれている状態である。このように引手框１９を吊元側へ移動することで折畳み扉は折畳まれるが、引手框１９には戸先框１８が一体化して設けられていて、引手框１９及び戸先框１８はその向きを変えることなく上下レール４，６に沿って移動する。
【００３６】
図１３（ｂ）はリンク機構１５が一直線状に延びている場合で、引手框１９はカギ２８が掛けられて縦枠にロックされ、又フランス落し２７が降下して係合片３４に係合し、折畳み扉の各パネル７ａ，７ｂ，７ｃ・・は回転しないようにロックされている。すなわち、先端が引手框１９に連結している一方のアーム３１ｂには係合片３４を延ばし、フランス落し２７が降下した場合に該係合片３４に係合する。（ｃ）はフランス落し２７が上昇して係合片３４が解除されることでアーム３１ｂは旋回を開始して、パネル７ａ，７ｂ，７ｃ・・が僅かに回転し各パネル間に僅かな隙間を形成した場合である。
【００３７】
図１３（ｄ）はアーム３１ｂがさらに旋回することでリンク機構１５が縮み、パネル７ａ，７ｂ，７ｃ・・が回転して各パネル間に空間を形成した場合である。（ｅ）はアーム３１ｂが大きく旋回して延び切った場合で、パネル７ａ，７ｂ，７ｃ・・が回転し各パネル間に大きな空間を形成する。このように、各パネル７ａ，７ｂ，７ｃ・・の回転角度はアーム３１，３２の旋回に応じて変化し、パネル間の空間の大きさが調整できる。そして、ルーバー状態と成ることで先端パネル７も回転し、引手框１９との間には空間３３を形成するが、この空間３３は戸先框１８によって塞がれる。
【図面の簡単な説明】
【００３８】
【図１】本発明に係るルーバー機能付き折畳み扉装置の外観。
【図２】本発明に係るルーバー機能付き折畳み扉装置の縦断面図。
【図３】ルーバー付き折畳み扉を枠体に装着する場合。
【図４】本発明に係るルーバー機能付き折畳み扉装置の横断面図で、（ａ）はリンク機構が伸長して折畳み扉が閉鎖した状態、（ｂ）は折畳み扉のルーバー状態、（ｃ）は折畳み扉が折畳まれた状態。
【図５】折畳み扉上端に取付けたリンク機構。
【図６】折畳み扉上端のルーバー機構。
【図７】折畳み扉下端のルーバー機構。
【図８】フランス落しとルーバーガイドに取付けられている落し受け。
【図９】引手框と戸先框に取付けているルーバーガイド、戸先框ガイド、カギ、及びフランス落し。
【図１０】ルーバー機構の動作に伴うリンク機構の伸縮動。
【図１１】折畳み扉上端のルーバー機構。
【図１２】折畳み扉下端のルーバー機構。
【図１３】ルーバー機構の動作に伴うリンク機構の伸縮動。
【符号の説明】
【００３９】
１  折畳み扉
２  枠体
３  上枠
４  上レール
５  下枠
６  下レール
７  パネル
８  吊車
９  スライダー
10  上枠本体
11  壁面
12  Ｌ形金具
13  キャップ
14  補助上枠
15  リンク機構
16  リンク
17  リンク
18  戸先框
19  引手框
20  ルーバーガイド
21  支持部
22  ガイド溝
23  ガイド棒
24  車輪
25  落し受け
26  ガイドローラ
27  フランス落し
28  カギ
29  戸先框ガイド
30  ガイド片
31  アーム
32  アーム
33  空間
【図１】
0005316929.tif 000002
【図２】
0005316929.tif 000003
【図３】
0005316929.tif 000004
【図４】
0005316929.tif 000005
【図５】
0005316929.tif 000006
【図６】
0005316929.tif 000007
【図７】
0005316929.tif 000008
【図８】
0005316929.tif 000009
【図９】
0005316929.tif 000010
【図１０】
0005316929.tif 000011
【図１１】
0005316929.tif 000012
【図１２】
0005316929.tif 000013
【図１３】
0005316929.tif 000014